(57)【特許請求の範囲】
【請求項１】
原子力プラントの安全保護系の機器の自動起動信号を入力して前記安全保護系の機器を制御する制御信号をそれぞれ個別に演算する複数の区分制御装置と、前記複数の区分制御装置のうちいずれか１つを選択してその区分制御装置に入力された自動起動信号を無効にしバイパスモードにするためのバイパススイッチと、前記複数の区分制御装置でそれぞれ個別に演算された制御信号のうち２以上が合致する制御信号を選択して前記安全保護系の機器に出力する論理回路とを備えた原子力プラントの安全保護系制御装置において、前記複数の区分制御装置の全てを同時に選択してこれら全ての区分制御装置に入力された自動起動信号を無効とし一括バイパスモードとする一括バイパススイッチを設け、
また、これらの区分制御装置の全てに前記一括バイパスモードであることを運転員に報知するための一括バイパスモード警報回路を設けたことを特徴とする原子力プラントの安全保護系制御装置。
【請求項２】
前記複数の区分制御装置にそれぞれ設けられ、前記一括パイパススイッチがオンしたときに当該区分制御装置が一括バイパスモードになることを許可するための許可スイッチを設けたことを特徴とする請求項１記載の原子力プラントの安全保護系制御装置。
【請求項３】
前記許可スイッチがオンし一括バイパスモードを許可していることを運転員に報知するための一括バイパス許可警報回路を設けたことを特徴とする請求項２に記載の原子力プラントの安全保護系制御装置。
【請求項４】
原子力プラントが停止している状態のときにオンさせ、前記一括バイパススイッチによる一括バイパスモード可能状態にするための原子炉モードスイッチを設けたことを特徴とする請求項１乃至請求項３に記載の原子力プラントの安全保護系制御装置。
【請求項５】
前記一括バイパススイッチを着脱可能とし可搬式としたことを特徴とする請求項１乃至請求項４に記載の原子力プラントの安全保護系制御装置。
【発明の詳細な説明】
【０００１】
【発明の属する技術分野】
本発明は、原子力プラントの安全保護系統の機器を制御するための原子力プラントの安全保護系制御装置に関する。
【０００２】
【従来の技術】
従来の原子力プラントの安全保護系制御装置は、図２に示すように、安全保護系の１台の機器１１を制御するに当たっては、物理的に分離された４個の区分制御装置１ａ、１ｂ、１ｃ、１ｄで各々個別に４個の制御信号を演算し、論理回路１０にて（２ｏｕｔ  ｏｆ４）の論理により、４個の制御信号のうち２以上が合致する制御信号を選択して安全保護系の機器１１に出力するようにしている。
【０００３】
すなわち、各々の区分制御装置１ａ、１ｂ、１ｃ、１ｄには、安全保護系の機器１１を起動するための同一内容の自動起動信号３ａ、３ｂ、３ｃ、３ｄがそれぞれ個別に入力される。また、各々の区分制御装置１ａ、１ｂ、１ｃ、１ｄには、自動起動信号３ａ、３ｂ、３ｃ、３ｄを無効にするための単一バイパス信号２ａ、２ｂ、２ｃ、２ｄが入力されている。
【０００４】
この単一区分バイパス信号２ａ、２ｂ、２ｃ、２ｄは、プラント運転中やプラント停止時において自動起動信号３ａ、３ｂ、３ｃ、３ｄの元となるプラントのプロセス値を検出するセンサの故障が発生した場合、あるいはセンサの定期点検において自動起動信号３ａ、３ｂ、３ｃ、３ｄを阻止する場合に、バイパススイッチ１２から入力される信号である。従って、通常運転中においては、単一区分バイパス信号２ａ、２ｂ、２ｃ、２ｄは入力されていない。
【０００５】
各々の区分制御装置１ａ、１ｂ、１ｃ、１ｄは同一構成であるので、図２では区分制御装置１ａについてのみ回路構成を示しており、以下の説明では区分制御装置１ａについて説明する。自動起動信号３ａはＡＮＤ回路１３に入力され、自動起動信号３ａを無効とするための単一バイパス信号２ａはＮＯＴ回路１４を介してＡＮＤ回路１３に入力されている。通常運転中においては、単一バイパス信号２ａは入力されないことから、自動起動信号３ａの入力があると演算部１５が起動され、制御信号が演算され論理回路１０に出力される。
【０００６】
図３は、バイパススイッチ１２の説明図である。バイパススイッチ１２は５個のポジションを有しており、この５個のポジションを切り替え、いずれか１個の信号だけ発生させるもので、自動起動信号３ａ、３ｂ、３ｃ、３ｄのうちのいずれか１個を阻止できるようになっている。通常時はニュートラル位置にある。
【０００７】
【発明が解決しようとする課題】
ところが、従来のこのような原子力プラントの安全保護系制御装置では、自動起動信号３ａ、３ｂ、３ｃ、３ｄの元となる各種センサの定期点検において、点検対象のセンサの自動起動信号をバイパススイッチ１２にて１個ずつ無効としなければならない。従って、点検に時間がかかる。
【０００８】
すなわち、センサの点検時にそのセンサ信号を増減することに伴い発生する自動起動信号３を無効とするため、バイパススイッチ１２を点検対象のセンサ毎に切り替えなければならない。このように、自動起動信号３を無効にできる区分が任意の１区分だけであるため、点検作業が１区分ずつ順次進める必要があり、全区分の並行作業が不可能で作業日数がかかるという欠点があった。
【０００９】
本発明の目的は、すべての区分制御装置への自動起動信号を一括で無効にできるようにし、全区分のセンサの定期点検を並行進行可能とした原子力プラントの安全保護系制御装置を提供することにある。
【００１０】
【課題を解決するための手段】
請求項１の発明に係わる原子力プラントの安全保護系制御装置は、原子力プラントの安全保護系の機器の自動起動信号を入力して前記安全保護系の機器を制御する制御信号をそれぞれ個別に演算する複数の区分制御装置と、前記複数の区分制御装置のうちいずれか１つを選択してその区分制御装置に入力された自動起動信号を無効にしバイパスモードにするためのバイパススイッチと、前記複数の区分制御装置でそれぞれ個別に演算された制御信号のうち２以上が合致する制御信号を選択して前記安全保護系の機器に出力する論理回路とを備えた原子力プラントの安全保護系制御装置において、前記複数の区分制御装置の全てを同時に選択してこれら全ての区分制御装置に入力された自動起動信号を無効とし一括バイパスモードとする一括バイパススイッチを設け、また、これらの区分制御装置の全てに前記一括バイパスモードであることを運転員に報知するための一括バイパスモード警報回路を設けたことを特徴とするものである。
【００１１】
請求項１の発明に係わる原子力プラントの安全保護系制御装置は、通常運転時は、自動起動信号が入力されると複数の区分制御装置でそれぞれ安全保護系の機器を制御するための制御信号を演算し、これら制御信号のうち２以上が合致する制御信号を論理回路で選択して安全保護系の機器に出力する。一方、自動起動信号のセンサの点検時においては、バイパススイッチは、複数の区分制御装置のうちいずれか１台を選択してその区分制御装置に入力された自動起動信号を無効とするバイパスモードにし、また、一括バイパススイッチは、複数の区分制御装置をすべて選択して複数の区分制御装置に入力された自動起動信号を無効とする一括バイパスモードにする。また、一括バイパススイッチにより一括バイパスモードとなったときは、一括バイパスモード警報回路にその旨を出力し運転員に報知する。
【００１２】
請求項２の発明に係わる原子力プラントの安全保護系制御装置は、請求項１の発明において、複数の区分制御装置にそれぞれ設けられ、一括パイパススイッチがオンしたときに当該区分制御装置が一括バイパスモードになることを許可するための許可スイッチを設けたものである。
【００１３】
請求項２の発明に係わる原子力プラントの安全保護系制御装置では、請求項１の発明の作用に加え、許可スイッチのオンにより、一括バイパススイッチによる一括バイパスモードの選択を許可する。つまり、許可スイッチがオンとなっていない以上は一括バイパススイッチをオンしても一括バイパスモードにならない。これにより、不用意に一括バイパスモードにすることを防止する。
【００１４】
請求項３の発明に係わる原子力プラントの安全保護系制御装置は、請求項２の発明において、許可スイッチがオンし一括バイパスモードを許可していることを運転員に報知するための一括バイパス許可警報回路を設けたものである。
【００１５】
請求項３の発明に係わる原子力プラントの安全保護系制御装置では、請求項２の発明の作用に加え、一括バイパス許可警報回路は、許可スイッチがオンし一括バイパスモードを許可していることを運転員に報知する。これにより、運転員の誤操作を防止する。
【００１６】
請求項４の発明に係わる原子力プラントの安全保護系制御装置は、請求項１乃至請求項３の発明において、原子力プラントが停止している状態のときにオンさせ、一括バイパススイッチによる一括バイパスモード可能状態にするための原子炉モードスイッチを設けたものである。
【００１７】
請求項４の発明に係わる原子力プラントの安全保護系制御装置では、請求項１乃至請求項３の発明の作用に加え、原子炉モードスイッチは、原子力プラントが停止している状態のときにオンされ、一括バイパススイッチによる一括バイパスモード可能状態にする。これにより、一括バイパスモードになるのはプラント停止状態のときに限られ、プラント運転中に不用意に安全保護系の機器への自動起動信号を無効にすることを防止する。
【００１８】
請求項５の発明に係わる原子力プラントの安全保護系制御装置は、請求項１乃至請求項４の発明において、一括バイパススイッチを着脱可能とし可搬式としたものである。
【００１９】
請求項５の発明に係わる原子力プラントの安全保護系制御装置では、請求項１乃至請求項４の発明の作用に加え、着脱可能な可搬式の一括バイパススイッチは、それの使用時に区分制御装置に取り付け、不使用時には区分制御装置から取り外す。これにより、プラント運転時の自動起動信号を誤まって無効とする要因を物理的に除外する。
【００２２】
【発明の実施の形態】
以下、本発明の実施の形態を説明する。図１は本発明の実施の形態に係わる原子力プラントの安全保護系制御装置の構成図である。この実施の形態は、図２に示した従来例に対し、一括バイパススイッチ６と原子炉モードスイッチ５とを４台の区分制御装置１ａ、１ｂ、１ｃ、１ｄに共通に設け、一括バイパス許可警報回路８ａ、８ｂ、８ｃ、８ｄと、許可スイッチ４ａ、４ｂ、４ｃ、４ｄと、一括バイパスモード警報回路９ａ、９ｂ、９ｃ、９ｄとを各々の区分制御装置１ａ、１ｂ、１ｃ、１ｄに個別に設けたものである。
【００２３】
一括バイパススイッチ６は、４台の区分制御装置１ａ、１ｂ、１ｃ、１ｄに共通に設けられ、４台の区分制御装置１ａ、１ｂ、１ｃ、１ｄをすべて選択して４台の区分制御装置１ａ、１ｂ、１ｃ、１ｄに入力された自動起動信号３ａ、３ｂ、３ｃ、３ｄを無効にし一括バイパスモードにするものである。また、原子炉モードスイッチ５は、４台の区分制御装置１ａ、１ｂ、１ｃ、１ｄに共通に設けられ、原子力プラントが停止している状態のときにオンさせ、一括バイパススイッチ６による一括バイパスモード可能状態にするものである。
【００２４】
一方、一括バイパスモード警報回路９ａ、９ｂ、９ｃ、９ｄは、４台の区分制御装置１ａ、１ｂ、１ｃ、１ｄにそれぞれ設けられ、一括バイパスモードであることを運転員に報知するものである。また、許可スイッチ４ａ、４ｂ、４ｃ、４ｄは、４台の区分制御装置１ａ、１ｂ、１ｃ、１ｄにそれぞれ設けられ、一括パイパススイッチ６がオンしたときに当該区分制御装置１が一括バイパスモードになることを許可するものであり、一括バイパス許可警報回路８ａ、８ｂ、８ｃ、８ｄは、許可スイッチ４ａ、４ｂ、４ｃ、４ｄがオンし一括バイパスモードを許可していることを運転員に報知するものである。
【００２５】
以下、各々の区分制御装置１ａ、１ｂ、１ｃ、１ｄは同一構成であるので、区分制御装置１ａを代表として説明する。区分制御装置１ａには、単一バイパス信号２ａと自動起動信号３ａに加え、許可スイッチ４ａからの許可信号と、原子炉モードスイッチ５からのプラント停止信号と、一括バイパススイッチ６の一括バイアス信号とが入力されている。
【００２６】
自動起動信号３ａはＡＮＤ回路１３に入力され、自動起動信号３ａを無効とするための単一バイパス信号２ａはＮＯＴ回路１４を介してＡＮＤ回路１３に入力されている。通常運転中においては、単一バイパス信号２ａや後述のＡＮＤ回路１６の出力信号は入力されないことから、自動起動信号３ａの入力があると演算部１５が起動され、制御信号が演算され論理回路１０に出力される。
【００２７】
許可スイッチ４ａからの許可信号、原子炉モードスイッチ５からのプラント停止信号、一括バイパススイッチ６の一括バイアス信号はＡＮＤ回路１６に入力されている。一括バイアスモードが許されるのは、プラントが停止した状態であるので、プラントが停止しセンサの点検を行う場合に原子炉モードスイッチをオンし、一括バイパススイッチ６による一括バイパスモード可能状態にする。これにより、プラント運転中に一括バイパスモードにならないようにインターロックをかけている。
【００２８】
この原子炉モードスイッチ５がオンされた一括バイパスモード可能状態で、当該区分制御装置１ａを一括バイパスモードの対象にするか否かを許可スイッチ４ａで選択する。許可スイッチ４ａがオンされているときは、当該区分制御装置４ａが一括バイパスモードの対象になっていることを示す。この情報は一括バイパスモード警報回路９ａに出力され、運転員が容易に一括バイパスモードの対象になっているか否かが判断できるようになっている。
【００２９】
原子炉モードスイッチ５がオンされ、かつ許可スイッチ４ａがオンされた状態で一括バイパススイッチ６がオンされると、ＡＮＤ回路１６の出力が成立しＮＯＴ回路１７を介してＡＮＤ回路１３の出力を阻止する。従って、自動起動信号３ａを出力が阻止される。この場合、一括バイパスモード警報回路９ａにその旨が出力され、運転員が容易に一括バイパスモードになっていることを判断できるようになっている。
【００３０】
このように、プラント停止操作手順のひとつとして、運転員が原子炉モードスイッチ５をオンし、この作業の後に、区分制御装置１ａ、１ｂ、１ｃ、１ｄ毎の許可スイッチ４ａ、４ｂ、４ｃ、４ｄを１つづつ許可としていく。許可スイッチ４ａ、４ｂ、４ｃ、４ｄの投入にあわせて、その許可状態を一括バイパス許可警報回路８ａ、８ｂ、８ｃ、８ｄに出力し運転員に報知する。最後に一括バイパススイッチ６を投入することで、ＡＮＤ回路１６の条件が全て成立し、全ての区分制御装置１ａ、１ｂ、１ｃ、１ｄの自動起動信号３ａ、３ｂ、３ｃ、３ｄを停止すると同時に各区分のバイパス動作中の一括バイアスモード警報回路９ａ、９ｂ、９ｃ、９ｄが動作する。
【００３１】
その解除方法については、一括バイパススイッチ６のをオフし、許可スイッチ４をオフして解除を行うが、万一、復旧忘れがあった場合においても警報回路８，９で確認できると共に、プラント起動時に原子炉モードスイッチ６の位置が「起動」位置となるため、自動解除されプラント運転時において自動起動信号を誤まって阻止することはない。
【００３２】
以上の説明では、許可スイッチ４や原子炉モードスイッチ６を設けたが、これらを省略しても良い。また、警報回路８、９を省略することも可能である。また、一括バイパススイッチ６を区分制御装置１に対し着脱可能に構成し、例えば着脱可能なコネクタで接続を行うようにし、一括バイパスモードにするときにだけ一括バイパススイッチ６を使用するようにしても良い。こうすることにより、プラント運転中に一括バイパスモードにすることを防止できる。
【００３３】
【発明の効果】
以上述べたように、本発明によれば、区分共通で設けた一括バイパススイッチを操作するだけで、全ての区分制御装置の自動起動信号を一括で停止することができ、全ての区分制御装置において、センサの定期点検の並行進行が可能となり、工期短縮が期待できる。また、プラント運転に際しての解除操作においても、原子炉モードスイッチおよび警報回路により確実に漏れなく元に戻すことができ、プラントの安全確保が図れる。
【図面の簡単な説明】
【図１】本発明の実施の形態に係わる原子力プラントの安全保護系制御装置の構成図。
【図２】従来の原子力プラントの安全保護系制御装置の構成図。
【図３】従来の原子力プラントの安全保護系制御装置におけるバイパススイッチの説明図。
【符号の説明】
１  区分制御装置
２  単一バイパス信号
３  自動起動信号
４  許可スイッチ
５  原子炉モードスイッチ
６  一括バイパススイッチ
８  一括バイパス許可警報回路
９  一括バイパスモード警報回路
１０  論理回路
１１  機器
１２  バイパススイッチ
１３  ＡＮＤ回路
１４  ＮＯＴ回路
１５  演算部
１６  ＡＮＤ回路
１７  ＮＯＴ回路
【図１】
0003595661.tif 000002
【図２】
0003595661.tif 000003
【図３】
0003595661.tif 000004